【事件の表示】
　特願２００１−２９４７１８「電気光学装置の駆動方法及び電気光学装置及び電子機器」拒絶査定不服審判事件〔平成１４年　６月２１日出願公開、特開２００２−１７５０４８〕について、次のとおり審決する。
【結　論】
　本件審判の請求は、成り立たない。
【理　由】
第１　手続の経緯
　本願は、平成１２年９月２９日にされた出願（特願２０００−３００８５９号）に基づく優先権を主張して平成１３年９月２６日にされた特許出願（特願２００１−２９４７１８号）であって、平成１７年６月２８日付け（発送日：同年７月５日）で拒絶査定がなされ、これに対して、平成１７年７月２９日に拒絶査定不服審判請求がなされるとともに、同年８月２６日付けで明細書を補正対象とする手続補正書（以下、この手続補正書による補正を「平成１７年８月２６日付け補正」といい、また「本件補正」ともいう。）が提出されたものである。　
　
第２　平成１７年８月２６日付け補正についての補正の却下の決定
１　補正の却下の決定の結論
　平成１７年８月２６日付け補正を却下する。
　
２　補正の却下の決定の理由
（１）本件補正の内容
　本件補正は、特許請求の範囲を次のように補正する内容を含むものである。
　
ア　本件補正前の特許請求の範囲
　「【請求項１】　走査線とデータ線との交点に対応して、電気光学素子と、前記電気素子を駆動するドライビングトランジスタと、前記ドライビングトランジスタを制御するスイッチングトランジスタと、前記ドライビングトランジスタを非導通状態にリセットするリセットトランジスタと、を備えた電気光学装置の駆動方法であって、
　前記スイッチングトランジスタをオン状態とするオン信号を前記走査線を介して前記スイッチングトランジスタに与え、前記オン信号を与える期間に対応して前記ドライビングトランジスタの導通または非導通を選択するセット信号を前記データ線及び前記スイッチングトランジスタを介して前記ドライビングトランジスタに与えるセットステップと、
　前記リセットトランジスタをオン状態とするオン信号を前記走査線を介して前記リセットトランジスタに与えることにより前記ドライビングトランジスタを非導通状態にリセットするリセットステップ、とを含み、
　前記セットステップ及び前記リセットステップは、所定の周期で繰り返すタイミングに基づいて前記所定の周期以内の期間で実行されること
　を特徴とする電気光学装置の駆動方法。
　　　【請求項２】　請求項１に記載の電気光学装置の駆動方法において、
　前記電気光学装置は前記ドライビングトランジスタを介して電気光学素子に電流を供給する電源線をさらに含み、前記リセットトランジスタの一端が前記電源線に接続されていること、
　を特徴とする電気光学装置の駆動方法。
　　　【請求項３】　請求項１または２に記載の電気光学装置の駆動方法において、
　前記スイッチングトランジスタの導電型と前記リセットトランジスタの導電型とが互いに異なること、
　を特徴とする電気光学装置の駆動方法。
　　　【請求項４】　請求項１乃至３のいずれかに記載の電気光学装置の駆動方法において、
　前記スイッチングトランジスタ、前記ドライビングトランジスタ、及び前記リセットトランジスタの導電型がそれぞれｎ型、ｐ型、及びｐ型であること、
　を特徴とする電気光学装置の駆動方法。
　　　【請求項５】　請求項４に記載の電気光学装置の駆動方法において、
　前記スイッチングトランジスタをオン状態とするオン信号に対応する電圧値ＶSと、前記リセットトランジスタをオン状態とするオン信号に対応する電圧値ＶRと、前記スイッチングトランジスタ及び前記リセットトランジスタとをともにオフ状態とするオフ信号に対応する電圧値Ｖ0とが、ＶS＞Ｖ0＞ＶRという関係式を満たすこと、
　を特徴とする電気光学装置の駆動方法。
　　　【請求項６】　請求項５に記載の電気光学装置の駆動方法において、Ｖ0＝０　Ｖ（ボルト）であること、
　を特徴とする電気光学装置の駆動方法。
　　　【請求項７】　請求項１乃至６のいずれかに記載の電気光学装置の駆動方法において、
　前記スイッチングトランジスタをオン状態とする期間はリセットトランジスタをオフ状態とすること、及び　前記リセットトランジスタをオン状態とする期間は前記スイッチングトランジスタをオフ状態とすること、
　を特徴とする電気光学装置の駆動方法。
　　　【請求項８】　請求項１乃至７のいずれかに記載の電気光学装置の駆動方法において、
　前記セットステップと前記リセットステップとの間の時間間隔を設定することにより階調を得ること、
　を特徴とする電気光学装置の駆動方法。
　　　【請求項９】　請求項１乃至８のいずれかに記載の電気光学装置の駆動方法において、
　前記セットステップと前記リセットステップとで規定されるセット−リセット動作を複数回繰り返すことにより階調を得ること、
　を特徴とする電気光学装置の駆動方法。
　　　【請求項１０】　請求項９に記載の電気光学装置の駆動方法において、
　複数回繰り返す前記セット−リセット動作における前記セットステップと前記リセットステップとの間の時間間隔がそれぞれ異なっていること、
　を特徴とする電気光学装置の駆動方法。
　　　【請求項１１】　請求項９または１０に記載の電気光学装置の駆動方法において、　複数回繰り返す前記セット−リセット動作の前記セットステップと前記リセットステップとの間の時間間隔がすべて異なっており、これら時間間隔の比が、前記時間間隔のうち最小の時間間隔を基準としておよそ１：２：．．：２n（ｎは１以上の整数）となるように設定されていること、
　を特徴とする電気光学装置の駆動方法。
　　　【請求項１２】　請求項１乃至１１のいずれかに記載の電気光学装置の駆動方法において、
　前記セット信号は、前記ドライビングトランジスタの導通または非導通を選択する代わりに、前記ドライビングトランジスタの導通状態を決定する信号であること、
　を特徴とする電気光学装置の駆動方法。
　　　【請求項１３】　請求項１乃至１２のいずれかに記載の電気光学装置の駆動方法において、
　前記電気光学素子が有機エレクトロルミネッセンス素子であること、
　を特徴とする電気光学装置の駆動方法。
　　　【請求項１４】　請求項１乃至１３のいずれかに記載の電気光学装置の駆動方法によって駆動されること、
　を特徴とする電気光学装置。
　　　【請求項１５】　走査線とデータ線との交点に対応して、電気光学素子と、前記電気光学素子を駆動するドライビングトランジスタと、前記ドライビングトランジスタを制御するスイッチングトランジスタと、前記ドライビングトランジスタを非導通状態にリセットするリセットトランジスタと、を備えた電気光学装置であって、
　前記走査線を介して前記スイッチングトランジスタ及び前記リセットトランジスタをオン状態またはオフ状態とする信号を発生させ、前記スイッチングトランジスタをオン状態とする信号に対応して前記ドライビングトランジスタをセットする信号を発生させるとともに、
　前記スイッチングトランジスタをオン状態とする信号と前記リセットトランジスタをオン状態とする信号とを所定の周期で繰り返すタイミングに基づいて前記所定の周期以内の期間で発生させる駆動回路を少なくとも一つ含むこと、
　を特徴とする電気光学装置。
　　　【請求項１６】　走査線とデータ線との交点に対応して、電気光学素子と、前記電気光学素子を駆動するドライビングトランジスタと、前記ドライビングトランジスタを制御するスイッチングトランジスタと、前記ドライビングトランジスタを非導通状態にリセットするリセットトランジスタと、を備えた電気光学装置であって、
　前記スイッチングトランジスタをオン状態とする信号と前記リセットトランジスタをオン状態とする信号とを所定の周期で繰り返すタイミングに基づいて前記所定の周期以内の期間で前記走査線に供給する走査線ドライバーと、
　前記走査線ドライバーの動作に対応して前記ドライビングトランジスタをセットする信号を前記データ線に供給するデータ線ドライバーと、
　を含むことを特徴とする電気光学装置。
　　　【請求項１７】　走査線とデータ線との交点に対応して、電気光学素子と、前記電気光学素子を駆動するドライビングトランジスタと、前記ドライビングトランジスタを制御するスイッチングトランジスタと、前記ドライビングトランジスタを非導通状態にリセットするリセットトランジスタと、を備えた電気光学装置であって、
　前記電気光学素子をセットするセットステップを行うためのオン信号が前記走査線を介して前記スイッチングトランジスタに与えられること、及び
　前記電気光学素子をリセットするリセットステップを行うためのオン信号が前記走査線を介して前記リセットトランジスタに与えられ、
　前記セットステップを行うためのオン信号と前記リセットステップを行うためのオン信号とを所定の周期で繰り返すタイミングに基づいて前記所定の周期以内の期間で発生させること、
　を特徴とする電気光学装置。
　　　【請求項１８】　請求項１５乃至１７のいずれかに記載の電気光学装置において、
　前記電気光学装置は前記ドライビングトランジスタを介して電気光学素子に電流を供給する電源線をさらに含み、前記リセットトランジスタの一端が前記電源線に接続されていること、
　を特徴とする電気光学装置。
　　　【請求項１９】　請求項１５乃至１８のいずれかに記載の電気光学装置において、
　前記電気光学素子が有機エレクトロルミネッセンス素子であること、
　を特徴とする電気光学装置。
　　　【請求項２０】　請求項１４乃至１９のいずれかに記載の前記電気光学装置が実装されてなる電子機器。」
　
イ　本件補正後の特許請求の範囲
　「【請求項１】　走査線とデータ線との交点に対応して、電気光学素子と、前記電気
光学
前記ドライビングトランジスタを介して電気光学素子に電流を供給する電源線
　前記スイッチングトランジスタをオン状態とするオン信号を前記走査線を介して前記スイッチングトランジスタに与え、前記オン信号を与える期間に対応して前記ドライビングトランジスタの導通または非導通を選択するセット信号を前記データ線及び前記スイッチングトランジスタを介して前記ドライビングトランジスタに与えるセットステップと、
　前記リセットトランジスタをオン状態とするオン信号を前記走査線を介して前記リセットトランジスタに与え
て前記ドライビングトランジスタのゲートを前記電源線と電気的に接続する
　前記セットステップ
から
までの時間間隔を走査線を介して設定することにより階調を得る
　を特徴とする電気光学装置の駆動方法。
　　　【請求項２】　請求項１に記載の電気光学装置の駆動方法において、
　前記電気光学装置は前記ドライビングトランジスタを介して電気光学素子に電流を供給する電源線をさらに含み、前記リセットトランジスタの一端が前記電源線に接続されていること、
　を特徴とする電気光学装置の駆動方法。
　　　【請求項３】　請求項１または２に記載の電気光学装置の駆動方法において、
　前記スイッチングトランジスタの導電型と前記リセットトランジスタの導電型とが互いに異なること、
　を特徴とする電気光学装置の駆動方法。
　　　【請求項４】　請求項１乃至３のいずれかに記載の電気光学装置の駆動方法において、
　前記スイッチングトランジスタ、前記ドライビングトランジスタ、及び前記リセットトランジスタの導電型がそれぞれｎ型、ｐ型、及びｐ型であること、
　を特徴とする電気光学装置の駆動方法。
　　　【請求項５】　請求項４に記載の電気光学装置の駆動方法において、
　前記スイッチングトランジスタをオン状態とするオン信号に対応する電圧値ＶSと、前記リセットトランジスタをオン状態とするオン信号に対応する電圧値ＶRと、前記スイッチングトランジスタ及び前記リセットトランジスタとをともにオフ状態とするオフ信号に対応する電圧値Ｖ0とが、ＶS＞Ｖ0＞ＶRという関係式を満たすこと、
　を特徴とする電気光学装置の駆動方法。
　　　【請求項６】　請求項５に記載の電気光学装置の駆動方法において、Ｖ0＝０　Ｖ（ボルト）であること、
　を特徴とする電気光学装置の駆動方法。
　　　【請求項７】　請求項１乃至６のいずれかに記載の電気光学装置の駆動方法において、
　前記スイッチングトランジスタをオン状態とする期間はリセットトランジスタをオフ状態とすること、及び　前記リセットトランジスタをオン状態とする期間は前記スイッチングトランジスタをオフ状態とすること、
　を特徴とする電気光学装置の駆動方法。
　　　【請求項
８
７
　前記セットステップと前記リセットステップとで規定されるセット−リセット動作を複数回繰り返すことにより階調を得ること、
　を特徴とする電気光学装置の駆動方法。
　　　【請求項
９
８
　複数回繰り返す前記セット−リセット動作における前記セットステップと前記リセットステップとの間の時間間隔がそれぞれ異なっていること、
　を特徴とする電気光学装置の駆動方法。
　　　【請求項
１０
８
９
　複数回繰り返す前記セット−リセット動作の前記セットステップと前記リセットステップとの間の時間間隔がすべて異なっており、これら時間間隔の比が、前記時間間隔のうち最小の時間間隔を基準としておよそ１：２：．．：２n（ｎは１以上の整数）となるように設定されていること、
　を特徴とする電気光学装置の駆動方法。
　　　【請求項
１１
１０
　前記セット信号は、前記ドライビングトランジスタの導通または非導通を選択する代わりに、前記ドライビングトランジスタの導通状態を決定する信号であること、
　を特徴とする電気光学装置の駆動方法。
　　　【請求項
１２
１１
　前記電気光学素子が有機エレクトロルミネッセンス素子であること、
　を特徴とする電気光学装置の駆動方法。
　　　【請求項
１３
１２
　を特徴とする電気光学装置。
　　　【請求項
１４
前記ドライビングトランジスタを介して電気光学素子に電流を供給する電源線
　前記走査線を介して前記スイッチングトランジスタ及び前記リセットトランジスタをオン状態またはオフ状態とする信号
と、
駆動回路を少なくとも一つ含み、　前記リセットトランジスタをオン状態とする信号は、前記ドライビングトランジスタのゲートを前記電源線と電気的に接続することにより前記ドライビングトランジスタを非導通状態にリセットし、
を発生させる時間から
を発生させる時間までの時間間隔を走査線を介して設定することにより階調を得ること、
　　　【請求項
１５
前記ドライビングトランジスタを介して電気光学素子に電流を供給する電源線
　前記スイッチングトランジスタをオン状態とする信号と前記リセットトランジスタをオン状態とする信号とを前記走査線に供給する走査線ドライバーと、
　前記走査線ドライバーの動作に対応して前記ドライビングトランジスタをセットする信号を前記データ線に供給するデータ線ドライバーと、を
含み、
前記リセットトランジスタをオン状態とする信号は、前記ドライビングトランジスタのゲートを前記電源線と電気的に接続することにより前記ドライビングトランジスタを非導通状態にリセットし、
前記スイッチングトランジスタをオン状態とする信号を発生させる時間から前記リセットトランジスタをオン状態とする信号を発生させる時間までの時間間隔を走査線を介して設定することにより階調を得ること、
　　　【請求項
１６
前記ドライビングトランジスタを介して電気光学素子に電流を供給する電源線
　前記電気光学素子をセットするセットステップを行うためのオン信号が前記走査線を介して前記スイッチングトランジスタに与えられる
とともに、前記オン信号に対応して前記ドライビングトランジスタをセットする信号が前記データ線及び前記スイッチングトランジスタを介して前記ドライビングトランジスタに与えられる
　前記電気光学素子をリセットするリセットステップを行うためのオン信号が前記走査線を介して前記リセットトランジスタに与えられ
前記リセットトランジスタをオン状態として前記ドライビングトランジスタのゲートを前記電源線と電気的に接続することにより前記ドライビングトランジスタを非導通状態にリセットされること、及び
から
までの間の時間間隔を走査線を介して設定することにより階調を得ること
　　　【請求項
１７
１４
１６
　前記リセットトランジスタの一端が前記電源線に接続されていること、
　を特徴とする電気光学装置。
　　　【請求項
１８
１４
１７
　前記電気光学素子が有機エレクトロルミネッセンス素子であること、
　を特徴とする電気光学装置。
　　　【請求項
１９
１３
１８
　なお、アンダーラインは補正箇所を示すために当審が付したものである。
　
（２）補正の目的について
　本件補正の請求項１についての補正は、「前記電気素子」を「前記電気
光学
　そこで、本件補正後の請求項１に記載されている事項により特定される発明（以下、「本件補正発明」という。）が特許出願の際独立して特許を受けることができるものであるか（特許法第１７条の２第５項において準用する同法第１２６条第５項の規定に適合するか）について、以下に検討する。
　
　なお、本件補正後の請求項１を再掲すると以下のとおりである。
　「【請求項１】　走査線とデータ線との交点に対応して、電気光学素子と、前記電気
光学
前記ドライビングトランジスタを介して電気光学素子に電流を供給する電源線
　前記スイッチングトランジスタをオン状態とするオン信号を前記走査線を介して前記スイッチングトランジスタに与え、前記オン信号を与える期間に対応して前記ドライビングトランジスタの導通または非導通を選択するセット信号を前記データ線及び前記スイッチングトランジスタを介して前記ドライビングトランジスタに与えるセットステップと、
　前記リセットトランジスタをオン状態とするオン信号を前記走査線を介して前記リセットトランジスタに与え
て前記ドライビングトランジスタのゲートを前記電源線と電気的に接続する
　前記セットステップ
から
までの時間間隔を走査線を介して設定することにより階調を得る
　を特徴とする電気光学装置の駆動方法。」
　
（３）引用例
ア　引用例１
　原査定の拒絶の理由に引用された、本願の優先日前に頒布された刊行物である特開平１０−３１９９０８号公報（以下「引用例１」という。）には、図面とともに次の事項が記載されている。
　
（ア）「【００１０】【課題を解決するための手段】本発明は、有機発光ダイオード（Ｏ−ＬＥＤ）を使用するディスプレイで使用するためのピクセル構造を含む。全体アレイの各ピクセル構造は、有機発光ダイオード（Ｏ−ＬＥＤ）を含む。」
　
（イ）「【００２５】図２は、本発明に従ったＯ−ＬＥＤピクセル構造の第１の典型的な具体例の回路図を示す。所与のピクセルのアレイ（例えば１０２４×１２８０）における各ピクセル構造は同一であると予期されるので、ひとつのピクセル構造だけが記述される。図２に示されたピクセルの構成は、電流でプログラム可能であり、そしてＯ−ＬＥＤの遷移電圧又はトランジスタのスレッショルド電圧のシフトのいずれかと独立である。
【００２６】図２に示されるように、ピクセル構造２００は、Ｏ−ＬＥＤ２１０と、２つのトランジスタＴ１及びＴ２と、データ方向に走る２つのラインＤ１及びＤ２と、セレクト方向に走る２つのラインＳ１及びＳ２とを含む。加えて、ピクセル構造２００は、キャパシタＣ１を含む。典型的な具体例では、各トランジスタは、ソース、ゲート、及びドレインと、対応する電極とを含む。」
　
（ウ）「【００４３】図５は、本発明に従ったＯ−ＬＥＤピクセル要素の第２の典型的な実施例の回路図を示す。図５に示されたピクセル構造５００は、図２に示された構造と類似して、マルチモード動作を含んでいる。しかしながら、予測されるように、ピクセル構造２００とピクセル構造５００との間にはいくつかの相違点が存在する。例えば、図２のデータライン及びセレクトラインの対は、図５に示されたピクセル構造において単一のデータライン及び単一のセレクトラインに置換えられた。
【００４４】図５に目を向けると、ピクセル構造５００は、Ｏ−ＬＥＤ５１０と、２つのトランジスタＴ１及びＴ２と、データ方向に走る１本のラインＤ１と、セレクト方向に走る１本のラインＳ１とを含む。典型的な具体例では、各トランジスタはソース、ゲート、及びドレインと、対応する電極とを含む。加えて、そしてピクセル構造２００に類似して、ピクセル構造５００は、ピクセルの発光レベルを決定する電位をレベルが格納されるキャパシタＣ１を含む。」
　
（エ）「【００５０】詳細には記述されていないけれども、代替的なピクセル構造の追加的な予期される実施例が、図６〜９に示されている。本開示を手にした当業者は、図２及び５に関連して述べられた実施例の記述された動作と図４の電流発生回路とが与えらると、どのように各々の典型的な具体例が動作するかを認識するだろう。特定の実施例に依存して、電流発生源４００は、相互接続とタイミングの必要性の便宜をはかるために些細な変形を必要とするかもしれない。」
　
（オ）「【００５２】図７は、本発明に従ったＯ−ＬＥＤピクセル要素の第４の典型的な実施例の回路図を示す。端的には、図７に見られるように、トランジスタＴ１、Ｔ２及びＴ３はＰＭＯＳ技術を使用して製造される。データラインだけでなく、セレクトラインおよび電流源も、プログラムされた電流レベルに関連した電位をＣ１上に設定するために操作される。発光モード中には、格納された負の電位が、トランジスタＴ２のゲートを適正なレベルに駆動し、電流の適正量がＯ−ＬＥＤ７１０に通過することを許容する。加えて、ピクセル構造７００は、Ｔ３の形式でのリセット機構を含み、この機構は、導通されたときに、Ｃ１上に格納された電位が放電することをを引き起こす。」
　
（カ）図面の図２及び図５には、セレクトラインＳ１とデータラインＤ１との交点に対応して、ピクセル構造２００または５００を設けることが描かれている。
　
（キ）図面の図７には、Ｏ−ＬＥＤ７１０と、電流源とＯ−ＬＥＤ７１０との間に配置されたトランジスタＴ２と、トランジスタＴ２のゲート電極とデータラインの間に配置されたトランジスタＴ１と、トランジスタＴ２のゲート電極と電流源との間に配置されたキャパシタＣ１と、トランジスタＴ２のゲート電極と電流源との間に配置されたトランジスタＴ３とを有するピクセル構造７００が描かれ、トランジスタＴ１のゲート電極はセレクトラインに接続され、トランジスタＴ３のゲート電極にはリセットパルスが入力されることが描かれている。
　
　上記摘記事項（ア）ないし（キ）から、以下のことが読み取れる。
ａ　摘記事項（エ）の段落【００５０】の記載によると、図６〜９に示されているのは、代替的なピクセル構造の追加的な実施例であるから、図７のピクセル構造７００は、図５のピクセル構造５００と同様に、セレクトラインＳ１とデータラインＤ１の交点に対応して設けられるものであり、摘記事項（ア）の段落【００１０】に記載されるように、「ディスプレイ」として使用されるものであること。
ｂ　摘記事項（オ）の段落【００５２】の「トランジスタＴ１、Ｔ２及びＴ３はＰＭＯＳ技術を使用して製造される。」との記載から、トランジスタＴ１ないしＴ３は、それぞれＰＭＯＳのトランジスタであること。
ｃ　摘記事項（オ）の段落【００５２】の「データラインだけでなく、セレクトラインおよび電流源も、プログラムされた電流レベルに関連した電位をＣ１上に設定するために操作される。発光モード中には、格納された負の電位が、トランジスタＴ２のゲートを適正なレベルに駆動し、電流の適正量がＯ−ＬＥＤ７１０に通過することを許容する。」との記載、及び、図面の図７に描かれた回路構造から、プログラムされた電流レベルに関連した電位をＣ１上に設定するためには、セレクトラインに信号を入力することにより、トランジスタＴ１を導通させる操作を行うことが明らかであること。
ｄ　摘記事項（オ）の段落【００５２】に記載された方法は、Ｏ−ＬＥＤ７１０の発光を制御するためのものであるから、Ｏ−ＬＥＤ７１０の駆動方法であること。
　
　そうすると、上記摘記事項（ア）ないし（キ）から、引用例１には、以下の発明（以下「引用発明」という。）が記載されているものと認められる。
　
　「セレクトラインＳ１とデータラインＤ１との交点に対応して、有機発光ダイオード（Ｏ−ＬＥＤ７１０）と、電流源とＯ−ＬＥＤ７１０との間に配置されたＰＭＯＳのトランジスタＴ２と、ゲート電極がセレクトラインに接続され、トランジスタＴ２のゲート電極とデータラインの間に配置されたＰＭＯＳのトランジスタＴ１と、トランジスタＴ２のゲート電極と電流源との間に配置されたキャパシタＣ１と、ゲート電極にリセットパルスが入力され、トランジスタＴ２のゲート電極と電流源との間に配置されたトランジスタＴ３とを有するピクセル構造７００を備えたディスプレイにおけるＯ−ＬＥＤ７１０の駆動方法であって、
　前記セレクトラインに信号を入力することにより、トランジスタＴ１を導通させて、プログラムされた電流レベルに関連した電位をキャパシタＣ１上に設定し、発光モード中には、キャパシタＣ１に格納された負の電位が、トランジスタＴ２のゲートを適正なレベルに駆動し、電流の適正量がＯ−ＬＥＤ７１０に通過することを許容し、
　トランジスタＴ３の形式でのリセット機構が導通されたときに、キャパシタＣ１上に格納された電位を放電するＯ−ＬＥＤ７１０の駆動方法。」
　
イ　引用例２
　原査定の拒絶の理由に引用された、本願の優先日前に頒布された刊行物である特開平１１−３０７８９号公報（以下「引用例２」という。）には、図面とともに次の事項が記載されている。
　
（ア）「【００４５】・・・
［第２実施形態］本実施形態の液晶表示素子は、アレイ基板上に６４０×４８０（ＶＧＡ）の画素が形成されたディスプレイである。
【００４６】図３はＴＦＴアレイ上のサブピクセルの構成を示す平面図である。図４（ａ）はサブピクセル群のうち４行２列部分の等価回路を示す回路図である。図３，４において、図１，２と同一な部分には同一符号を付し、その詳細な説明を省略する。
【００４７】本実施形態の特徴は、同じ画素電極１５に接続されるｎチャネルＴＦＴ素子１４と、ｐチャネルＴＦＴ素子１７のゲート電極が同一画素行の走査線１１に接続され、画素電極１５がｐチャネルＴＦＴ素子１７を介して同一画素行の補助容量線１３に接続されていることである。
【００４８】各行の補助容量線１３は、通常のように最端部で接続され同一の端子から取り出すのではなく、各行で独立に走査線端子と反対側の基板端に設けた端子から取り出される構造とし、各補助容量線１３の電位を独立に駆動可能とした。なお、補助容量線１３の端子及び走査線１１の端子を同じ側から、補助容量線１３の群と走査線１１の群をそれぞれまとめて取り出し、それぞれ別の駆動回路ＩＣ群によって駆動することも可能である。
【００４９】なお、各ＴＦＴ素子，液晶材料及び液晶セルの製造方法は第１実施形態と同じであるので、その説明を省略する。駆動系は、最大印加電圧３Ｖ，１ラインの選択時間６４μｓのＶＧＡ対応（上下二分割駆動）のものを用いた。各走査線１１に、図４（ｂ）に例示した走査線駆動波形を入力した。リセットパルス２１は、複数画素行で一部ずつオーバーラップさせ、そのパルス幅を約３００μｓとして十分リセット時間を確保した。
【００５０】走査線１１にリセットパルス２１が入力されると、ｎチャネルＴＦＴ素子１４はオフとなり、ｐチャネルＴＦＴ素子１７がオンとなる。ｐチャネルＴＦＴ素子１７のオンにより画素電極１５が補助容量線１３に接続される。そして、画素印加電圧を前のフレームの信号極性と逆の極性の飽和電圧の１／２付近の電圧にすることによって、リセット動作が行われる。この動作は、補助容量線電位を液晶の飽和電圧の１／２の電圧にシフトさせることによって行われる。
【００５１】次いで、信号書込パルス２２によって、ｎチャネルＴＦＴ素子１４がオンとなり、信号線１２から画素電極１５に画像の階調に応じた画像信号を入力されて画像表示が行われる。」
　
（イ）図面の図４（ａ）には、ｐチャネルＴＦＴ素子１７がオンとなるときに、補助容量１６に蓄積された電荷を放電する回路が描かれている。
　
（ウ）図面の図４（ｂ）には、各走査線１１に入力する走査線駆動波形として、リセット期間を確保するためにパルス幅を長くした負のリセットパルスと、パルス幅の短い正の信号書き込みパルス２２からなる複数の走査線駆動波形が、およそ信号書き込みパルス２２のパルス幅だけタイミングをずらして描かれている。
　
（４）対比
　本件補正発明と引用発明とを対比する。
ａ　引用発明の「セレクトラインＳ１」、「データラインＤ１」、「有機発光ダイオード（Ｏ−ＬＥＤ７１０）」及び「ディスプレイ」は、それぞれ、本件補正発明の「走査線」、「データ線」、「電気光学素子」及び「電気光学装置」に相当し、引用発明の「ディスプレイにおけるＯ−ＬＥＤ７１０の駆動方法」は、Ｏ−ＬＥＤ７１０が駆動されることによりディスプレイが駆動されるものであるから、本件補正発明の「電気光学装置の駆動方法」に相当する。
ｂ　引用発明の「電流源とＯ−ＬＥＤ７１０との間に配置されたＰＭＯＳのトランジスタＴ２」は、本件補正発明の「電気光学素子」に相当する「Ｏ−ＬＥＤ７１０」を通過する電流量を制御するものであるから、本件補正発明の「前記電気光学素子を駆動するドライビングトランジスタ」に相当する。
ｃ　引用発明の「トランジスタＴ２のゲート電極とデータラインの間に配置されたＰＭＯＳのトランジスタＴ１」は、導通することにより、「プログラムされた電流レベルに関連した電位をキャパシタＣ１上に設定」するものであり、発光モード中には、キャパシタＣ１に格納された負の電位が、本件補正発明の「ドライビングトランジスタ」に相当する「トランジスタＴ２」を制御することとなる。したがって、引用発明の「トランジスタＴ２のゲート電極とデータラインの間に配置されたＰＭＯＳのトランジスタＴ１」は、キャパシタＣ１を介して、本件補正発明の「ドライビングトランジスタ」に相当する「トランジスタＴ２」を制御しているということができるから、本件補正発明の「前記ドライビングトランジスタを制御するスイッチングトランジスタ」に相当する。
ｄ　引用発明の「ゲート電極にリセットパルスが入力され、トランジスタＴ２のゲート電極と電流源との間に配置されたトランジスタＴ３」は、「トランジスタＴ３の形式でのリセット機構が導通されたときに、キャパシタＣ１上に格納された電位を放電する」という動作を行うものであり、キャパシタＣ１の電位が放電されると、Ｐ−ＭＯＳのトランジスタＴ２のゲート電極と電流源に接続されたソース電極とが同電位となることにより、Ｐ−ＭＯＳのトランジスタＴ２は非導通状態となるから、引用発明の「ゲート電極にリセットパルスが入力され、トランジスタＴ２のゲート電極と電流源との間に配置されたトランジスタＴ３」は、本件補正発明の「前記ドライビングトランジスタを非導通状態にリセットするリセットトランジスタ」に相当する。
ｅ　引用発明の「電流源」と「Ｏ−ＬＥＤ７１０」の間は「トランジスタＴ２」を介して配線で接続されており、これらの配線が、本件補正発明の「前記ドライビングトランジスタを介して電気光学素子に電流を供給する電源線」に相当する。
ｆ　引用発明のセレクトラインに入力する信号は、トランジスタＴ１を導通させるものであるから、本件補正発明の「前記スイッチングトランジスタをオン状態とするオン信号」に相当し、引用発明においてセレクトラインに信号を入力する期間が、本件補正発明の「前記オン信号を与える期間」に相当し、本件引用発明の「プログラムされた電流レベルに関連した電位」が、本件補正発明の「セット信号」に相当する。また、引用発明において、「プログラムされた電流レベルに関連した電位」が「キャパシタＣ１上に設定され」ることは、キャパシタＣ１上に格納された負の電位は、本件補正発明の「ドライビングトランジスタ」に相当する「トランジスタＴ２」のゲートを適正なレベルに駆動するものであるから、本件補正発明において、「セット信号」を「前記ドライビングトランジスタに与える」ことに相当する。
　そして、これらの相当関係を考慮すると、引用発明において、「前記セレクトラインに信号を入力することにより、トランジスタＴ１を導通させて、プログラムされた電流レベルに関連した電位をキャパシタＣ１上に設定」することと、本件補正発明の「前記オン信号を与える期間に対応して前記ドライビングトランジスタの導通または非導通を選択するセット信号を前記データ線及び前記スイッチングトランジスタを介して前記ドライビングトランジスタに与えるセットステップ」とは、「前記オン信号を与える期間に対応して前記ドライビングトランジスタのセット信号を前記データ線及び前記スイッチングトランジスタを介して前記ドライビングトランジスタに与えるセットステップ」である点で共通する。
ｇ　引用発明の「ゲート電極にリセットパルスが入力され、トランジスタＴ２のゲート電極と電流源との間に配置されたトランジスタＴ３」は、「トランジスタＴ３の形式でのリセット機構が導通されたときに、キャパシタＣ１上に格納された電位を放電する」という動作を行うものであり、引用発明の「リセットパルス」が、本件補正発明の「前記リセットトランジスタをオン状態とするオン信号」に相当する。そして、引用発明のトランジスタＴ３は、トランジスタＴ２のゲート電極と電流源との間に配置されるものであるから、引用発明の「トランジスタＴ３の形式でのリセット機構が導通されたとき」が、本件補正発明の「前記ドライビングトランジスタのゲートを前記電源線と電気的に接続すること」に相当し、引用発明において、「キャパシタＣ１上に格納された電位を放電する」ことは、Ｐ−ＭＯＳのトランジスタＴ２のゲート電極と電流源に接続されたソース電極とを同電位として、Ｐ−ＭＯＳのトランジスタＴ２を非導通状態とすることであるから、本件補正発明の「前記ドライビングトランジスタを非導通状態にリセットするリセットステップ」に相当する。
　
　そうすると、上記ａないしｇの考察から、本件補正発明と引用発明とは、以下の一致点で一致し、以下の相違点１及び２で相違する。
　
（一致点）
　「走査線とデータ線との交点に対応して、電気光学素子と、前記電気光学素子を駆動するドライビングトランジスタと、前記ドライビングトランジスタを制御するスイッチングトランジスタと、前記ドライビングトランジスタを非導通状態にリセットするリセットトランジスタと、前記ドライビングトランジスタを介して電気光学素子に電流を供給する電源線を備えた電気光学装置の駆動方法であって、
　前記スイッチングトランジスタをオン状態とするオン信号を前記走査線を介して前記スイッチングトランジスタに与え、前記オン信号を与える期間に対応して前記ドライビングトランジスタのセット信号を前記データ線及び前記スイッチングトランジスタを介して前記ドライビングトランジスタに与えるセットステップと、
　前記リセットトランジスタをオン状態とするオン信号を前記リセットトランジスタに与えて前記ドライビングトランジスタのゲートを前記電源線と電気的に接続することにより前記ドライビングトランジスタを非導通状態にリセットするリセットステップ、とを含む電気光学装置の駆動方法。」
　
（相違点１）
　本件補正発明は、セット信号が「導通または非導通を選択するセット信号」であり、「前記セットステップから前記リセットステップまでの時間間隔を設定することにより階調を得る」のに対し、引用発明は、セット信号が「プログラムされた電流レベルに関連した電位」であり、セットステップからリセットステップまでの時間間隔を設定することにより階調を得るものではない点。
　
（相違点２）
　前記リセットトランジスタをオン状態とするオン信号が、本件補正発明では、走査線を介して与えられるのに対し、引用発明では、どのようにして与えられるのか不明であり、本件補正発明が、セットステップからリセットステップまでの時間間隔を走査線を介して設定するのに対し、引用発明は、そのように限定されていない点。
　
（５）当審の判断
　上記各相違点について検討する。
ａ　相違点１について
　有機発光ダイオード素子は、有機ＥＬ素子とも呼ばれる素子であって、有機発光ダイオード素子及び有機ＥＬ素子の技術分野において、発光する時間間隔を設定することにより階調を得ることは、例えば、特開平１０−３１２１７３号公報に「本実施形態における発光表示装置は、表示パネルの各画素に有機ＥＬ素子を用いるものとし、各画素は、２ｎサブフィールド法に基く発光制御により輝度階調されるものとする。」（段落【００３５】）及び「表示パネル９の各画素は、供給される各サブフィールドに対応する累積発光時間だけ発光し、１フレーム分の発光時間を階調表示によって行うことができる。」（段落【００３９】）と記載され、また、本願明細書の発明の詳細な説明の【従来の技術】の欄に記載された文献である、「K.Inukai, et al.,  4.0-in. TFT-OLED Displays and a Novel Digital Driving Method, SID INTERNATIONAL SYMPOSIUM DIGEST OF THECHNICAL PAPERS, VOL.31, May 16, 2000, pages 924-927」の図２に、「3Tr-pixel circuit for SES driving（ＳＥＳ（simultaneous-erasing-scan：同時消去走査）駆動のための３トランジスタ−画素回路）」として、引用例１と同様のＯＬＥＤを使用した画素回路が描かれ、９２６ページ右欄４行−９２７ページ左欄１６行の「3.2. SES driving（ＳＥＳ駆動）」の欄に、図２のような３トランジスタ構成の画素を、図６のように発光時間の異なる６つのサブフレームで駆動して階調表示を行うことが記載されているごとく、サブフィールド法またはサブフレーム法として従来周知の技術であり、引用発明に周知技術を適用し、発光する時間間隔を設定することにより階調を得ることに格別の困難性はない。
　また、サブフィールド法における画像データの信号は、各サブフィールド期間に、発光させるか否かを選択する信号であるから、引用発明に従来周知のサブフィールド法を適用したときには、データラインに入力された画像データの信号は、トランジスタＴ２の導通または非導通を選択して、Ｏ−ＬＥＤ７１０の発光または非発光を選択することとなる。
　よって、引用発明に従来周知のサブフィールド法を適用したときの上記画像データの信号は、本件補正発明の「前記ドライビングトランジスタの導通または非導通を選択するセット信号」に相当するものである。
　さらに、引用発明のトランジスタＴ２は、Ｏ−ＬＥＤ７１０を通過する電流を制御するものであるから、トランジスタＴ１のゲート電極に論理ハイの信号を入力して、トランジスタＴ１を導通してキャパシタＣ１に負の電位を格納したときには、トランジスタＴ２が導通状態となることにより、電流源からの電流がＯ−ＬＥＤ７１０に流れてＯ−ＬＥＤ７１０が発光し、その後、トランジスタＴ３のゲート電極にリセットパルスを入力して、トランジスタＴ３を導通してキャパシタＣ１に格納された電位を放電したときには、トランジスタＴ２が非導通状態となることにより、Ｏ−ＬＥＤ７１０の発光が停止することとなる。そうすると、トランジスタＴ１のゲート電極に論理ハイの信号を入力してトランジスタＴ２の導通または非導通を選択するステップから、トランジスタＴ３のゲート電極にリセットパルスを入力してトランジスタＴ２を非導通とするステップまでの時間間隔を設定することにより、各サブフィールドにおけるＯ−ＬＥＤの発光期間を制御して、サブフィールド法による階調を得ることも、当業者が適宜なし得ることである。
　以上のことから、引用発明において、発光する時間間隔を設定することにより階調を得るという有機発光ダイオード素子及び有機ＥＬ素子の技術分野における周知技術を適用し、トランジスタＴ１のゲート電極に論理ハイの信号を入力するステップから、トランジスタＴ３のゲート電極にリセットパルスを入力するステップまでの時間間隔を設定することにより、各サブフィールドにおけるＯ−ＬＥＤの発光期間を制御して、階調を得るごとく構成して、本件補正発明の上記相違点１に係る発明特定事項とすることは、当業者が容易に想到できたことである。
　
ｂ　相違点２について
　引用例２の摘記事項（ア）ないし（ウ）によると、引用例２には、液晶表示素子において、同じ画素電極１５に接続されるｎチャネルＴＦＴ素子１４と、ｐチャネルＴＦＴ素子１７のゲート電極を同一画素行の走査線１１に接続し、走査線１１に負のリセットパルス２１を入力することにより、ｐチャネルＴＦＴ素子１７をオンとし、補助容量１６に蓄積された電荷を放電し、走査線１１に正の信号書込パルス２２を入力することにより、ｎチャネルＴＦＴ素子１４をオンとし、信号線１２から画素電極１５に画像の階調に応じた画像信号を入力する技術が記載されている。
　なお、引用例２の摘記事項（ア）の段落【００４９】の「リセットパルス２１は、複数画素行で一部ずつオーバーラップさせ、そのパルス幅を約３００μｓとして十分リセット時間を確保した。」との記載、及び、摘記事項（ウ）の図面の図４において、複数の走査線駆動波形が、およそ信号書き込みパルス２２のパルス幅だけタイミングがずれていて、信号書き込みパルス２２が順次入力されるように構成されていることからすると、ｐチャネルＴＦＴ素子１７及びｎチャネルＴＦＴ素子１４のそれぞれは、負のリセットパルス２１及び正の信号書込パルス２２がそれぞれ入力されている期間のみ、オンとなっていることが明らかである。
　そして、引用発明と引用例２に記載の発明とは、ともに電気光学装置である点において技術分野が共通し、引用発明のトランジスタＴ１及びトランジスタＴ３と、引用例２に記載のｎチャネルＴＦＴ素子１４及びｐチャネルＴＦＴ素子１７とは、一方のトランジスタが信号を書き込むためのものであり、他方のトランジスタがリセットを行うためのものである点において、制御されるべき２つのトランジスタの機能も共通する。したがって、引用発明に引用例２に記載の発明を適用して、引用発明のトランジスタＴ３に入力されるリセットパルスについても、データラインを介して供給し、引用発明のトランジスタＴ１とトランジスタＴ３の双方をデータラインを介して制御することにより、相違点２に係る本件補正発明の発明特定事項とすることに格別の困難性はない。
　
　そして、本件補正発明の作用効果も、引用例１及び２の記載、並びに周知技術から当業者が予測できる範囲内のものである。
　したがって、本件補正発明は、引用発明及び引用例２に記載の発明並びに周知技術に基いて、当業者が容易に発明をすることができたものであるから、特許法第２９条第２項の規定により特許出願の際独立して特許を受けることができないものである。
　
　なお、請求人は、平成１７年８月１６日付けの手続補正書により補正された審判請求書の請求の理由において、「しかしながら、いずれの引用文献も「前記ドライビングトランジスタを介して電気光学素子に電流を供給する電源線」、「前記ドライビングトランジスタのゲートを前記電源線と電気的に接続することにより前記ドライビングトランジスタを非導通状態にリセットする」、「前記セットステップから前記リセットステップまでの時間間隔を走査線を介して設定することにより階調を得る」のすべての特徴を開示するものはありません。」と主張しているが、たとえ、引用例１、引用例２及び周知技術のそれぞれが本件補正発明のすべての特徴を開示するものではないとしても、本件補正発明が、引用発明及び引用例２に記載の発明並びに周知技術に基いて、当業者が容易に発明をすることができたものであることは、上記で検討したとおりであるから、請求人の審判請求書における上記主張は採用できない。
　
　また、請求人は、平成２０年７月２４日付けの回答書において、引用例１の図７では、「電流源」が用いられていることを根拠として、以下のことを主張している。
・電流源は駆動トランジスタの駆動能力よりも大きく設定されているから、トランジスタＴ３を介してＣ１をリセットしようとすれば、電流源とトランジスタＴ２の駆動能力の差により、電流を流しつづけるように動作して、Ｃ１に格納された電位が放電されないこと。
・仮にＣ１上に格納された電位が放電されるとしても、トランジスタＴ２及びＯ−ＬＥＤ７１０の特性に応じてトランジスタＴ２の電流源側の電位が上昇し、これに応じてトランジスタＴ２のゲートの電位がソース電位からトランジスタの閾値を差し引いた値に漸近し、徐々に電流が減少する動作をすること。
・引用文献１において、Ｏ−ＬＥＤ７１０を非発光状態としようとしたとしても、電流源が電流を流しつづけさせようとするため、トランジスタＴ２により階調を設定できない問題を有するものであります。
　
　しかしながら、引用例１の図７で「電流源」が記載されているとしても、トランジスタＴ１にリセットパルスが入力され、トランジスタＴ３が導通状態となれば、キャパシタＣ１に格納された電位が放電されることは明らかであるし、引用例１の図７に記載された発明は、そもそも、トランジスタＴ２のゲートを適正なレベルに駆動し、電流の適正量がＯ−ＬＥＤに通過することを許容するものであり、電流源についてもそのような駆動を行うことができるように構成することは、当業者の通常の設計事項であるから、請求人の回答書における主張も採用することができない。
　
（６）本件補正についてのむすび
　以上のとおりであるから、本件補正は、特許法第１７条の２第５項において準用する同法第１２６条第５項の規定に違反するものであり、同法第１５９条第１項において読み替えて準用する同法第５３条第１項の規定により却下すべきものである。
　
第３　本願発明
　平成１７年８月２６日付け補正は、上記のとおり却下されたので、本願の請求項１ないし２０に係る発明は、平成１７年５月２０日付け手続補正書により補正された明細書及び図面の記載からみて、その特許請求の範囲の請求項１ないし２０に記載された事項により特定されるとおりのものと認められるところ、本願の請求項１に係る発明（以下「本願発明」という。）は、前記「第２　２（１）ア」の本件補正前の特許請求の範囲の請求項１に記載のとおりである。
　
第４　引用例
　原査定の拒絶の理由に引用された引用例及びその記載事項は、前記「第２　２（３）引用例」に記載したとおりのものである。
　
第５　対比
　本願発明は、前記「第２　２」で検討した本件補正発明の発明特定事項から、「前記ドライビングトランジスタを介して電気光学素子に電流を供給する電源線」を備えるという限定を省き、本件補正発明の発明特定事項から、「前記ドライビングトランジスタのゲートを前記電源線と電気的に接続する」との限定を省き、さらに、本件補正発明の発明特定事項である「前記セットステップから前記リセットステップまでの時間間隔を走査線を介して設定することにより階調を得ること」について、「前記セットステップ及びリセットステップは、所定の周期で繰り返すタイミングに基づいて前記所定の周期以内の期間で実行されること」とすることにより、「時間間隔を走査線を介して設定することにより階調を得る」という限定を省いたものである。
　
　本願発明と引用発明とを対比すると、前記「第２　２（４）対比」で本件補正発明と引用発明とを対比したのと同様の相当関係から、本願発明と引用発明とは、以下の一致点で一致し、以下の相違点ａ及びｂで相違する。
　
（一致点）
　「走査線とデータ線との交点に対応して、電気光学素子と、前記電気素子を駆動するドライビングトランジスタと、前記ドライビングトランジスタを制御するスイッチングトランジスタと、前記ドライビングトランジスタを非導通状態にリセットするリセットトランジスタと、を備えた電気光学装置の駆動方法であって、
　前記スイッチングトランジスタをオン状態とするオン信号を前記走査線を介して前記スイッチングトランジスタに与え、前記オン信号を与える期間に対応して前記ドライビングトランジスタのセット信号を前記データ線及び前記スイッチングトランジスタを介して前記ドライビングトランジスタに与えるセットステップと、
　前記リセットトランジスタをオン状態とするオン信号を前記リセットトランジスタに与えることにより前記ドライビングトランジスタを非導通状態にリセットするリセットステップ、とを含む電気光学装置の駆動方法。」
　
（相違点ａ）
　本願発明は、セット信号が「導通または非導通を選択するセット信号」であり、「前記セットステップ及び前記リセットステップは、所定の周期で繰り返すタイミングに基づいて前記所定の周期以内の期間で実行される」のに対し、引用発明は、セット信号が「プログラムされた電流レベルに関連した電位」であり、セットステップ及びリセットステップが、所定の周期で繰り返すタイミングに基づいて前記所定の周期以内の期間で実行されるのかどうかが不明である点。
　
（相違点ｂ）
　前記リセットトランジスタをオン状態とするオン信号が、本願発明では、走査線を介して与えられるのに対し、引用発明では、どのようにして与えられるのか不明である点。
　
第６　判断
１　相違点ａについて、
　上記周知技術であるサブフレーム法は、電気光学素子の発光または非発光を選択するステップと、発光を停止するステップを、所定の周期で繰り返すタイミングに基づいて前記所定の周期以内の期間で実行するものであることが明らかである。
　そうすると、上記「第２　２（５）ａ　相違点１について」で検討したのと同様に理由により、本願発明の上記相違点ａに係る発明特定事項は、引用発明に有機発光ダイオード素子及び有機ＥＬ素子の技術分野における上記周知技術を適用することにより、当業者が容易に想到できたことである。
　
２　相違点ｂについて
　引用発明に引用例２に記載の発明を適用して、引用発明のトランジスタＴ３に入力されるリセットパルスについても、データラインを介して供給することに格別の困難性はないことは、上記「第２　２（５）ｂ　相違点２について」で検討したとおりである。
　
　そして、本願発明の作用効果も、引用例１及び２の記載、並びに周知技術から当業者が予測できる範囲内のものである。
　したがって、本願発明は、引用発明及び引用例２に記載の発明並びに周知技術に基いて、当業者が容易に発明をすることができたものである。
　
第７　むすび
　以上のとおりであるから、本願の請求項１に係る発明は、特許法第２９条第２項の規定によって特許を受けることができない。
　そして、本願の請求項１に係る発明が特許を受けることができないものであるから、その余の請求項に係る発明について論及するまでもなく、本願は、拒絶すべきものである。
　よって、結論のとおり審決する。